(57)【要約】【課題】放送番組に関する情報をインターネットを通じて得ようとする場合に、視聴者は放送事業者が予め放送波に載せて送信したＵＲＬの情報を得るしかなく、視聴者がより自由に興味の対象を選択することができる嗜好情報取得システムを提供することを目的とする。【解決手段】放送波に載せて送られてくるキーワードを視聴者が選択し、そのキーワードに基づいてインターネットから情報を得る。また、視聴者の操作履歴や、既に取得した嗜好情報の中のキーワードの出現頻度の高いものを、将来の放送番組に関するキーワードから検索し、予めインターネットで嗜好情報を取得しておく。【選択図】　　　　図２
2004086754.tif 000002
【特許請求の範囲】
【請求項１】
放送番組と放送番組に関するキーワードを受信し、
前記放送番組の表示に応じて前記キーワードをリストとして表示し、
前記リストとして表示された前記キーワードに関する情報をインターネットを通じて取得する嗜好情報取得装置。
【請求項２】
前記受信されたキーワードは階層構造であり、
前記表示されるリストは同一の階層に属するキーワードからなり、
前記インターネットから取得する前記キーワードに関する情報は、前記階層構造の各階層から１つづつ選択されたキーワードのすべてを含む情報であることを特徴とする請求項１記載の嗜好情報取得装置。
【請求項３】
放送番組と放送番組に関するキーワードを受信し、
インターネットを介して情報を取得した際に用いたキーワードを前記情報の取得する毎に重複を許して蓄積しておく操作履歴蓄積部を有し、
前記操作履歴蓄積部内で前記キーワードの出現頻度を求め、前記出現頻度が所定の閾値以上である場合は、将来放送される番組に関するキーワードの中に前記キーワードを含むか否かを調べ、含む場合は、前記キーワードに関連する放送番組を表示する前に、インターネットを通じて前記キーワードにかかわる情報を取得することを特徴とする嗜好情報取得装置。
【請求項４】
放送番組と放送番組に関するキーワードを受信し、
インターネットを介して取得した嗜好情報を記録しておく嗜好情報蓄積部と、
前記嗜好情報蓄積部内の嗜好情報をキーワードに切り分けるキーワード分割部を有し、前記キーワード分割部によって得られたキーワードの出現頻度を求め、前記出現頻度が所定の閾値以上である場合は、将来放送される番組に関するキーワードの中に前記キーワードを含むか否かを調べ、含む場合は、前記キーワードに関連する放送番組を表示する前に、インターネットを通じて前記キーワードにかかわる情報を取得することを特徴とする嗜好情報取得装置。
【請求項５】
請求項１乃至５の何れか記載の嗜好情報取得装置を搭載する放送受信機。
【発明の詳細な説明】
【０００１】
【発明の属する技術分野】
本発明は、放送を通じて送られた番組に関して視聴者が興味を持った事項について、そのキーワードに基づいてインターネットから、より詳細な情報を得ることができる、嗜好情報取得システム、嗜好情報取得装置、および同装置を搭載した受信機に関する。
【０００２】
【従来の技術】
近年、テレビとインターネットを結合した放送受信機で、受信機によって放送から取得したＵＲＬにインターネットを通じてアクセスできる環境が実現されている。
【０００３】
図１７に、そのような放送受信機の構成を示す。放送受信機９０００は、少なくとも、アンテナ１１２、チューナ１１４、ＴＳデコーダ９１１６、ＡＶデコーダ１１８、表示制御器１２０、表示器１２２、制御器９１５０、入力器１２６、および通信機１２４を含む。
【０００４】
放送される番組には、番組の内容であるコンテンツと共に、放送事業者が放送波に載せたＵＲＬが番組に付随するデータとして含まれる。放送波は、アンテナ１１２を介してチューナ１１４で受信され、トランスポートストリームＴＳｓがＴＳデコーダ９１１６に送られる。ＴＳデコーダ９１１６は、トランスポートストリームＴＳｓから映像音声データＡＶｓとインターネットアドレスを含むデータＵＲＬｄを別個に抽出する。データＵＲＬｄの中のＵＲＬは、制御器９１５０を介して、副映像信号ＳｂＡＶｄとして表示制御器１２０に渡され、ＯＮ　ＳＣＲＥＥＮ　ＤＩＳＰＬＡＹ（ＯＳＤ）などとして表示器１２２で表示される。なお、ＡＶｓは、ＡＶデコーダ１１８でデコードされて、映像信号Ａｖｓｉｇと制御器９１５０から入力される副映像信号ＳｂＡＶｄを合成して、合成映像信号Ｃｐｓｉｇとして表示器１２２に映出する
【０００５】
視聴者は表示器１２２上でそのＵＲＬを確認し、入力器１２６などを介して表示されたＵＲＬの内容を表示するように制御器９１５０に指示信号Ｒｅｑ＿ｓを送る。
【０００６】
放送受信機９０００は、通信機１２４を介して、インターネット１６０に接続されて、指定されたＵＲＬの内容を取得する。放送受信機９０００はさらに、制御器９１５０および表示制御器１２０を介して、所得したＵＲＬの内容を副映像信号ＳｂＡＶｄとして表示器１２２上に表示する。放送受信機９０００は、また、ＵＲＬの内容を記録データＲｅｃ＿ｄとして記録装置１２８に記録する。
【０００７】
【発明が解決しようとする課題】
テレビ番組視聴者は、多くの場合受動的視聴を行っているであるが、放送事業者によって配信された情報に対して興味を持つこともよくある。しかしながら、放送事業者が予め準備したＵＲＬの情報ではなく、配信された情報の中の任意の情報に関してインターネットを通して詳細の情報を得るという、視聴者の能動的行動を可能とする送受信機は提供されていない。
【０００８】
受動的視聴を行いながらも、視聴者が興味を持った事項である嗜好情報を簡単に取得して確認できれば、視聴者の知識・理解のさらなる向上を達成でき、視聴者にとって今まで以上の満足が得られると言る。
【０００９】
つまり、本発明は、予め放送事業者が視聴者の興味対象を予測して放送波に載せたＵＲＬだけでなく、放送波で送られてくる情報の中で、放送事業者が予測できないような視聴者個人の興味の対象に関する情報をインターネットを通じて取得できるような嗜好情報取得システムとそれを搭載した放送受信機を提供することを目的としている。
【００１０】
【課題を解決するための手段】
本発明は、上記目的を実現するために、以下の手段を講じる。すなわち、先ず放送事業者は、放送するコンテンツに対して視聴者の嗜好の対象となり得るキーワードを添付してコンテンツを送信する。
【００１１】
放送を受信する受信機は、映出するコンテンツのシーンに関連付けられた上記のキーワードを画面上にリスト表示する。視聴者はリスト表示されたキーワードを選択する。受信機は、そのキーワードをインターネット上の検索サイトを用いて検索し、視聴者が興味を持った事項に関する情報を得る。
【００１２】
放送事業者は、最初のキーワードこそ送信するものの、どのキーワードについて視聴者が興味を持つかは予想できない。またキーワードという比較的小さな情報を数多く送信することで視聴者の選択の範囲も広がる。
また、上記のキーワードは複数の階層に分けられて送信され、受信機上で表示される。これによって、ある上位のキーワードと下位のキーワードを組み合わせることで、より確度の高い情報をインターネットから取得することができる。
【００１３】
さらに、上記の受信機は、視聴者のインターネットからの情報取得の履歴を記録しておき、その履歴情報から視聴者の嗜好を予測し、将来の映出シーンの中に現れるキーワードの組み合わせの中から視聴者がインターネットを通じて情報を取得すると予測される情報に関して、予め情報を取得して記憶手段に記憶しておく。
【００１４】
【発明の実施の形態】
（第１の実施の形態）
以下に、添付の図１、図２、図３、図４、図５、および図６を参照して、本発明の第１の実施の形態について説明する。図１に、本発明の第１の実施の形態にかかる嗜好情報取得システムを搭載した放送受信機の構成を示す。図示の如く、同放送受信機１００のハード的な構成は、図１７に示した従来の放送受信機９０００とほぼ同じ構成である。従って、放送受信機１００に固有の部分を重点的に説明する。
【００１５】
放送受信機１００においては、放送受信機９０００におけるＴＳデコーダ９１１６および制御器９１５０がそれぞれＴＳデコーダ１１６および制御器１５０と交換されている。ＴＳデコーダ９１１６がトランスポートストリームＴＳｓから映像音声データＡＶｓとデータＵＲＬｄを分離抽出するに対して、ＴＳデコーダ１１６は映像音声データＡＶｓと番組インデックスＩｄを分離抽出する。結果、制御器１５０の動作も、制御器９１５０のそれと異なるが、それについては後ほど詳述する。
【００１６】
図２に、制御器１５０の内部構成を示す。制御器１５０は、少なくとも、キーワードリスト作成部２１０と、嗜好情報となるＭｏｒｅ　Ｉｎｆｏｒｍａｔｉｏｎ（以後「ＭＩ」と略称する）を検索するＭＩ検索部２１２を有する。これらは、ハード的に構成してもよいし、ソフトウェアとして構成しても構わない。従って、本実施の形態にかかる制御器１５０は、Ｍｉｃｒｏ　Ｐｒｏｃｅｓｓｅｒ　Ｕｎｉｔ（ＭＰＵ）とメモリの組み合わせとして構成される場合が多い。
【００１７】
記録装置１２８は、少なくとも、ＭＩ蓄積部２２０、番組インデックス蓄積部２２２、および操作履歴蓄積部２２４を含む。ＭＩ蓄積部２２０は嗜好情報ＭＩを蓄積し、番組インデックス蓄積部２２２は番組インデックスＩｄを蓄積し、そして、操作履歴蓄積部２２４は視聴者が選択したキーワードの対を記録する。なお、本発明においては、受信される放送波は、少なくとも番組コンテンツと番組インデックスを含む。
【００１８】
番組コンテンツとは、通常放送される番組の内容自体である。番組インデックスとは、番組コンテンツに関する情報である。番組インデックスの内容は、視聴者の嗜好の対象となり得るキーワードの集合であるが、従来技術におけるのと同様に、インターネットのアドレス番号であるＵＲＬを含んでもよい。
番組インデックスは１つの番組全体に関するキーワードの集合であってもよいし、コンテンツの中の１シーン毎に対応付けられた何らかの情報のキーワードであってもよい。
【００１９】
多重されるキーワードは現在実用化されているＢＳデジタル放送のフォーマットで言う、ＥＩＴ（Ｅｖｅｎｔ　Ｉｎｆｏｒｍａｔｉｏｎ　Ｔａｂｌｅ）やＬＩＴ（Ｌｏｃａｌ　ｅｖｅｎｔ　Ｉｎｆｏｒｍａｔｉｏｎ　Ｔａｂｌｅ）に、例えば図３に示すようなフォーマットで信号化される。もちろん上記のＥＩＴやＬＩＴ以外に特別なフォーマットを定義してもよい。
【００２０】
以下に、図３を参照して、第１のキーワードＫｅｙ１と第２のキーワードＫｅｙ２がある場合について説明する。第１キーワードＫｅｙ１に続いて、第２キーワードＫｅｙ２が複数個結合する。第２キーワードＫｅｙ２の各々についてＵＲＬを記述することもできる。またＵＲＬ＿ＩＤとは、ＵＲＬのバージョン番号を示し、既に内容を取得したＵＲＬか否かを受信機側でチェックする際に利用できる。
このような第１キーワードＫｅｙ１も、やはり複数個用意することができ、上記の既存フォーマットの結合先に結合する。この結合先には、図示していないが、これらのキーワードが関係する番組を特定する情報や番組中のシーンを特定するための情報など（以後これらの情報をＣｏｎ＿Ｉｎｆｏと呼ぶ。）が結合することになる。
【００２１】
キーワードは、結合されたキーワードおよびキーワードに記述或いは関連づけられた情報に基づいてインターネットから情報を検索してくるので、キーワードや情報が多ければ多いほど、特定且つ限定された情報を持ってくることが可能で、より視聴者の嗜好にあった情報を得ることができる。
【００２２】
次に、図４を参照して、放送受信機１００のコンテンツ視聴中の嗜好情報ＭＩの取得にかかわる部分の動作について説明する。放送受信機１００が起動すると、先ず、ステップＳ４０４において、ＴＳデコーダ１１６によって、少なくとも番組の表示若しくは番組のシーンの表示に先駆けて番組インデックスＩｄを読み込んでおく。読み込むタイミングは番組開始以前でもよいし、番組のシーンの直前でもよい。そして、制御は次のステップＳ４０６に進む。
【００２３】
ステップＳ４０６において、制御器１５０は、コンテンツを読み込むと共に、そのコンテンツ若しくはコンテンツのシーンにかかわる情報Ｃｏｎ＿Ｉｎｆｏ（図２参照）を、ＴＳデコーダ１１６から受け取る。情報Ｃｏｎ＿Ｉｎｆｏの受け取りタイミングは、具体的には、ＴＳデコーダ１１６がトランスポートストリームＴＳｓを読み込むとき、若しくはＡＶデコーダ１１８がＡＶｓを読み込むとき、または、表示制御器１２０がＡＶｓｉｇを読み込むときなどが考えられる。そして、制御は次のステップＳ４０８に進む。
【００２４】
ステップＳ４０８において、制御器１５０は、番組のあるシーンに関係する番組インデックスＩｄが、記録装置１２８に記録されている場合は、そのシーンに応じてキーワードリストＫｅｙｗ＿Ｌｉｓｔをキーワードリスト作成部２１０によって作成する。作成されたキーワードリストＫｅｙｗ＿Ｌｉｓｔは、表示制御器１２０に出力され、表示器１２２によって視聴者に提示される。このようにして、視聴者が表示器１２２に提示されたキーワードリストから興味のあるキーワードの選択を促す。そして、制御は次のステップＳ４１０に進む。
【００２５】
ステップＳ４１０において、制御器１５０は、入力器１２６から入力される指示信号Ｒｅｑ＿ｓに基づいて、視聴者がキーワードを選択しているか否かを判断する。選択されていると判断される場合、制御はステップＳ４１２に進む。
【００２６】
ステップＳ４１２において、記録装置１２８は、選択されたキーワードでＭＩ蓄積部２２０を検索して、同キーワードに関するＭＩが記録されいるか否かが判断される。検索結果がＮｏの場合、制御はステップＳ４１４に進む。
【００２７】
ステップＳ４１４において、制御器１５０は、その選択されたキーワードＫｅｙｗを通信機１２４に出力すると共に、通信機１２４を介してインターネット１６０より同キーワードＫｅｙｗに関するＭＩを取得する。取得されたＭＩは、記録装置１２８のＭＩ蓄積部２２０に記録される。そして、制御は次のステップＳ４１６に進む。
【００２８】
ステップＳ４１６において、ステップＳ４１４において取得されたＭＩは、表示制御器１２０を介して表示器１２２に出力されて、視聴者に提示される。そして、制御は上述のステップＳ４０４に戻る。
【００２９】
一方、上述のステップＳ４１２において、検索結果がＹｅｓ、つまり選択されたキーワードに関するＭＩがＭＩ蓄積部２２０に蓄積されている場合には、同ＭＩが読み出される。そして、制御はステップＳ４１４をスキップして、ステップＳ４１６に進む。この場合、ステップＳ４１６においては、ステップＳ４１４でインターネットより取得されたＭＩではなく、本ステップでＭＩ蓄積部２２０から読み出されたＭＩが視聴者に提示される。
【００３０】
さらに、上述のステップＳ４１０でＮｏ、視聴者はキーワードを選択していないと判断される場合は、制御はステップＳ４１８に進む。
【００３１】
ステップＳ４１８において、上述のステップＳ４０６で取得を開始した、放送波によって提供されているコンテンツが終了したか否かが判断される。Ｎｏ、つまりコンテンツが終了していなければ、制御は上述のステップＳ４０４に戻る。一方、Ｙｅｓ、つまりコンテンツが終了していれば、コンテンツ視聴中の嗜好情報ＭＩの取得に関する動作を終了する。動作を終了する。
【００３２】
本実施の形態にかかわる放送受信機１００のコンテンツ視聴中の嗜好情報ＭＩの取得に関する動作は以上のように説明される。次に放送受信機１００のコンテンツ視聴中の嗜好情報ＭＩの取得に関する動作を図１および図２を用いて、より詳細に説明する。なお、以下の説明においては、データや信号の流れを時系列的に区別を明確にするために、各符号の後に、アンダースコアと共に数字を接尾辞として付加する。例えば、Ｋｅｙｗ＿１、Ｋｅｙｗ＿２は、発生する時期と伝送される場所が異なるために区別しているが、内容は同じものである。また、図４に示したフローチャートに対応するステップ番号を記載する。
【００３３】
図１に示すように、放送波はアンテナ１１２を介してチューナ１１４で受信され、トランスポートストリームＴＳｓがＴＳデコーダ１１６に送られる。ＴＳデコーダ１１６は、トランスポートストリームＴＳｓから映像音声にかかわる映像音声データＡＶｓと番組インデックスＩｄとに分離する。
制御部１５０は、図２に示す様に、ＴＳデコーダ１１６からこの番組インデックスＩｄ（Ｉｄ＿１）を、番組の表示に先駆けて受け取る。制御部１５０は、受け取った番組インデックスＩｄ（Ｉｄ＿２）を番組インデックス蓄積部２２２に記録させる（Ｓ４０４）。
【００３４】
一方、図１に示すように、映像音声データＡＶｓはＡＶデコーダ１１８で映像音声信号ＡＶｓｉｇにデコードされ、表示制御器１２０を介して表示器１２２や音声再生機（図示せず）へ出力される。このとき、制御部１５０は、図２に示すように、表示器１２２で現在表示する番組、若しくは番組のシーンにかかわる情報Ｃｏｎ＿ｉｎｆｏを受け取る（Ｓ４０６）。この情報Ｃｏｎ＿ｉｎｆｏは、ＡＶデコーダ１１８から受け取るのが望ましいが、その他の部分から受け取っても構わない。
【００３５】
図２に示すように、制御器１５０を構成するキーワードリスト作成部２１０は、番組インデックス蓄積部２２２の中から、情報Ｃｏｎ＿ｉｎｆｏに該当する番組インデックスＩｄを探し、それがあればキーワードセットＫｅｙｗ＿ｓｅｔとして取り込み、キーワードリストＫｅｙｗ＿Ｌｉｓｔに変換した後に、表示制御器１２０へ送る（Ｓ４０８）。本実施の形態におけるようには、キーワードが２つある場合には、先ず、第１キーワードＫｅｙ１についてキーワードリストＫｅｙｗ＿Ｌｉｓｔを作成する。
【００３６】
図１に示す副映像信号ＳｂＡＶｄが、キーワードリストＫｅｙｗ＿Ｌｉｓｔを含む。従って、表示制御器１２０は、このキーワードリストＫｅｙｗ＿Ｌｉｓｔを映像信号ＡＶｓｉｇと合成した上で合成映像信号Ｃｐｓｉｇとして表示器１２２に映出する。
【００３７】
図５に、表示器１２２に映出される表示について例示する。表示Ｉｍａは、通常のコンテンツだけを表示している状態を示す。表示Ｉｍｂは、上記の説明で、番組インデックスＩｄから第１キーワードのリスト１ｓｔ＿Ｋｅｙｗｏｒｄ＿Ｌｉｓｔを表示している状態を示している。この例では表示器１２２の下方に第１キーワードリスト１ｓｔ＿Ｋｅｙｗｏｒｄ＿Ｌｉｓｔを表示させるようにしている。
【００３８】
表示されたキーワードリストの中から、視聴者が自分の興味のあるキーワードについて入力器１２６を介して選択の要求をすると、その要求は要求信号Ｒｅｑ＿ｓとして制御器１５０に渡される。図２に示すように、要求信号Ｒｅｑ＿ｓを受け取った制御器１５０では、キーワードリスト作成部２１０が、指定された第１キーワードに属する第２のキーワードをＫｅｙ＿Ｌｉｓｔとして再度表示制御器１２０に送る。
【００３９】
表示制御器１２０は、第１キーワードＫｅｙ１のときと同様に、第２キーワードリスト２ｎｄ＿ｋｅｙｗｏｒｄ　Ｌｉｓｔを表示器１２２に表示させる。表示Ｉｍｃは、その状態を示すものである（Ｓ４１０）。なお、図４に示したフローチャートでは、第１キーワードＫｅｙ１と第２キーワードＫｅｙ２の選択を１つステップＳ４１０として表しているが、キーワードＫｅｙの数が１つであっても、また３つ以上であっても同様の手続きでキーワードは選択される。
【００４０】
図２に示すように、第１キーワードＫｅｙ１と第２キーワードＫｅｙ２が視聴者によって選択されたこと（Ｓ４１０）を示す第２キーワードＫｅｙ２を指定する要求信号Ｒｅｑ＿ｓを受け取ると、制御器１５０は、これらのキーワードを対にしたキーワードＫｅｙｗ＿１（Ｋｅｙ１、Ｋｅｙ２）を操作履歴蓄積部２２４に記録させる。なお、この手続きは図４のフローには省略してあるが、ステップＳ４１０とステップＳ４１２の間に入る手続きである。
【００４１】
また、このキーワードＫｅｙｗ＿１（Ｋｅｙ１、Ｋｅｙ２）は、ＭＩ検索部２１２にキーワードＫｅｙｗ＿２（Ｋｅｙ１、Ｋｅｙ２）として通知される。そして、ＭＩ検索部２１２は、ＭＩ蓄積部２２０をＫｅｙｗ＿３（Ｋｅｙ１、Ｋｅｙ２）に対するＭＩを検索する（Ｓ４１２）。
【００４２】
ＭＩ蓄積部２２０内の検索の結果、ＭＩ蓄積部２２０に所望のＭＩが見つかった場合は、そのＭＩはＭＩ＿１として取得される（Ｓ４１２）。
【００４３】
一方、ＭＩ蓄積部２２０内の検索の結果、所望のＭＩが見つからない場合、Ｋｅｙｗ＿３（Ｋｅｙ１、Ｋｅｙ２）がキーワードＫｅｙｗ＿４（Ｋｅｙ１、Ｋｅｙ２）として通信機１２４に送られる。そして、制御器１５０は、インターネット１６０上の検索サイトなどを利用して、キーワードＫｅｙｗ＿４（Ｋｅｙ１、Ｋｅｙ２）でキーワード検索をして、ＭＩ＿２を取得する（Ｓ４１４）。
取得されたＭＩは、ＭＩ蓄積部２２０にそのキーワードと共にＭＩ＿３として蓄積される（Ｓ４１４）。
【００４４】
上述のように、ＭＩ蓄積部２２０から取得されたＭＩ＿１（Ｓ４１２）、或いはインターネット１６０から取得されたＭＩ＿２（Ｓ４１４）は、表示制御器１２０を介して表示器１２２でＭＩ＿５として表示される（Ｓ４１６）。図５に示す表示Ｉｍｄは、このようにして得られたＭＩ（ＭＩ＿５）の表示例を示している。
【００４５】
このように本実施の形態によると、視聴者は多くのキーワードの中から自分の嗜好にあったものを自由に選び、そのキーワードについての情報をインターネットを通じて得ることができる。これは、データ放送などのように限られた情報だけでなく、インターネットという膨大なデータの中から自分の興味のある情報を得ることができることを意味している。
【００４６】
また、視聴者にとっては、放送事業者が意図的に送信してきたＵＲＬに基づくサイト以外の情報を得ることができると共に、放送事業者にとっても放送番組の中の細かい情報について、逐次インターネット上でサイトを見つけてそのＵＲＬを確認してから放送波として送信するという手間が省ける。
なお、ここでは、放送波のＥＩＴなどに第１キーワードや第２キーワードを載せて送信する場合について説明したが、第１キーワードや第２キーワードはＥＰＧやデータ放送の一部として送信してもよい。この場合は、上述のようにＴＳデコーダがこれらのキーワードを分離して、番組インデックスＩｄとして制御部に渡すことが考えられる。
【００４７】
しかしながら、制御部がＥＰＧやデータ放送からキーワードのデータを分離してもよいことは言うまでもない。またＥＰＧやデータ放送に含まれるデータを切り取って利用してもよい。さらに、ここではキーワードは第１と第２の２つの場合について説明をしたが、１であってもよいし、３つ以上あってもよいのは言うまでもない。
【００４８】
次に、このようにして蓄積したキーワードと嗜好情報ＭＩの再利用について簡単に説明する。視聴者はシステムによって示されるキーワードリストに従って、ＭＩを取得するだけでなく、過去に自分が取得して見たＭＩについて再度見たいと考えることが予期される。このような場合の処理について、図２および図６を参照して、以下に説明する。
【００４９】
図２に示すように、視聴者がＭＩの取得を命じたキーワードの対であるキーワードＫｅｙｗ＿１（Ｋｅｙ１、Ｋｅｙ２）は操作履歴蓄積部２２４に記録されてある。そこで、視聴者はこれらのリストを表示する旨の要求をＲｅｑ＿ｓとして制御器１５０に送信する。その後の処理について、図６に示すフローチャートを参照して簡単に説明する。
【００５０】
図６に示すように、先ず、ステップＳ６０４において、キーワードリスト作成部２１０は、操作履歴蓄積部２２４に蓄えたキーワードの対であるキーワードＫｅｙｗをキーワードリストとして表示させる。そして、制御は次のステップＳ６０６に進む。
【００５１】
ステップＳ６０６において、ステップＳ６０４で表示されたキーワードリストに対して視聴者が選択を行ったか否かが判断される。Ｎｏ、つまり選択がなされなった場合は、制御はステップＳ６１４に進む。ステップＳ６１４において、処理は終了される。一方、ステップＳ６０６でＹｅｓ、つまり視聴者による選択があった場合、制御はステップＳ６０８に進む。
【００５２】
ステップＳ６０８において、そのキーワードＫｅｙｗでＭＩ蓄積部２２０を検索して、対応する嗜好情報ＭＩが探される。対応する嗜好情報ＭＩが見つからない場合、制御はステップＳ６１０に進む。
【００５３】
ステップＳ６１０において、インターネットから嗜好情報ＭＩが取得される。そして、制御はステップＳ６１２に進む。
【００５４】
ステップＳ６１２において、ステップＳ６０８においてＭＩ蓄積部２２０から取得された嗜好情報ＭＩ或いは、ステップＳ６１０でインターネットから取得された嗜好情報ＭＩの何れかが表示される。そして、処理は終了される。なお、上述のステップＳ６０６においてＮｏ、つまり視聴者の選択がない場合も、処理は終了される。
【００５５】
このように、視聴者の要求に応じて、既に取得した嗜好情報ＭＩを再利用することができる。
【００５６】
（第２の実施の形態）
図７、図８、図９、図１０、図１１、および図１２を参照して、第２の実施の形態にかかる嗜好情報取得システムについて説明する。上述の第１の実施の形態にかかる嗜好情報取得システムにおいては、キーワードによるインターネットからの嗜好情報の取得できる。本実施の形態においては、嗜好情報ＭＩをよりスムーズに視聴者に提示できる嗜好情報取得システムを提案する。
【００５７】
すなわち、本実施の形態においては、視聴者が嗜好情報ＭＩを取得した場合のキーワードの対の中から、視聴者の嗜好に適合するキーワードを抽出し、将来放送される番組の中にそのキーワードを含むキーワードの対があった場合であって、且つ、そのキーワードの対について嗜好情報ＭＩを取得していない場合に、視聴者の番組視聴に先んじて、インターネットからＭＩを取得し、視聴者からの表示要求があった場合には、直ちに表示できるようにしておくものである。
【００５８】
図７に、本実施の形態にかかる嗜好情報取得システムを搭載した放送受信機７００の全体構成を示す。図示の如く、制御器１５０が制御器７５０に置き換えられている点を除いて、同放送受信機７００のハード的な構成は、図１に示した放送受信機１００と同じ構成である。よって、放送受信機７００に固有の部分を重点的に説明する。
【００５９】
図８に示すように、制御器７５０は、制御器１５０に嗜好判断部７１０が新たに追加されて構成されている。なお、嗜好判断部７１０はハード的に構成してもよいが、ソフト的にプログラムとして構成することができる。嗜好判断部７１０は、比較部８１２および嗜好抽出部８１４を含む。
【００６０】
図９に、操作履歴蓄積部２２４内の蓄積されるデータを示す。操作履歴蓄積部２２４には、キーワードリスト作成部２１０から、視聴者の選択した第１キーワードＫｅｙ１と第２キーワードＫｅｙ２の対としてキーワードＫｅｙｗ選択の履歴が記録されている。なお、第１の実施の形態の説明においては、キーワードＫｅｙｗ＿１もキーワードＫｅｙｗ＿２も共に、同じ第１キーワードＫｅｙ１、第２キーワードＫｅｙ２の対を意味した。しかしながら本実施の形態においては、第１キーワードＫｅｙ１と第２キーワードＫｅｙ２の対で視聴者の操作履歴を管理するために、第１キーワードＫｅｙ１および第２キーワードＫｅｙ２の対のそれぞれを区別する必要がある。そのために、操作履歴蓄積部２２４は第１キーワードＫｅｙ１および第２キーワードＫｅｙ２のそれぞれに、アンダースコアと数字からなる接尾辞を付加して蓄積する。
【００６１】
図９においては、キーワードＫｅｙｗ＿１〜Ｋｅｙｗ＿ｎ（ｎは任意の自然数）に対応する第１キーワードＫｅｙ１＿１、第２キーワードＫｅｙ２＿２〜第１キーワードＫｅｙ１＿ｎ、第２キーワードＫｅｙ２＿ｎが操作履歴蓄積部２２４に蓄積されている例が表されている。なお、操作履歴蓄積部２２４においては、最近蓄積されたキーワード対（Ｋｅｙ１、Ｋｅｙ２）ほど接尾辞の数字が小さくなるように調整される。つまり、図９における例では、キーワード対（Ｋｅｙ１＿１、Ｋｅｙ２＿１）が一番最近に蓄積されたものである。
【００６２】
嗜好抽出部８１４は、操作履歴蓄積部２２４に蓄積されたこの操作履歴の中から最近の操作履歴を視聴者の嗜好判断のためのデータとして抽出する。つまり、蓄積されているすべてのキーワード対（Ｋｅｙ１＿１、Ｋｅｙ２＿２〜Ｋｅｙ１＿ｎ、Ｋｅｙ２＿ｎ）のうちで、一番最近の蓄積からｍ（ｍはｎ以下の自然数）番目前に蓄積されたキーワード対（Ｋｅｙ１＿１、Ｋｅｙ２＿２〜Ｋｅｙ１＿ｍ、Ｋｅｙ２＿ｍ）のみを抽出する。
【００６３】
このように、蓄積されているキーワード対のうちで抽出されるｍ番目までを、遡及範囲Ωとする。遡及範囲Ωの決め方は例えば、１週間とか１ヶ月といった時間的な遡及である。操作履歴蓄積部２２４に蓄積されている操作履歴のすべてに対して遡及範囲Ωを決めてもよいし、チャンネル毎、ジャンル毎といった分野別にそれぞれこの遡及範囲Ωを決めてもよい。
【００６４】
次に、図１０に示すフローチャートを参照して、本実施の形態にかかる嗜好情報取得システムの全体的な動作について説明する。図１０に示すフローチャートは、ステップＳ４０６とステップＳ４０８の間に、ステップＳ１００２の「嗜好予測によるＭＩ取得」サブルーチンが新たに追加されている点を除いて、図４で示した第１の実施の形態にかかるフローチャートと同じである。よって、本実施の形態に固有の処理に重点をおいて説明する。
【００６５】
上述のように、本実施の形態においては、実際に視聴者がキーワードリストＫｅｙｗ＿ＬｉｓｔからキーワードＫｅｙｗを選択して、そのキーワードに基づく嗜好情報ＭＩをインターネットから取得する前に、予め視聴者の嗜好にかかわるキーワードＫｅｙｗを抽出する。そして、視聴者の実際の選択要求がある前に嗜好情報ＭＩを取得しておく。このようにすることで、上述のステップＳ４１２において、選択されたキーワードに関するＭＩが記録装置１２８（ＭＩ蓄積部２２０）に記録されていないと判断される頻度が非常に著しく低減される。その結果、ステップＳ１００２においてＭＩの事前取得が不成功であった場合を除いて、ステップＳ４１４におけるインターネットからＭＩを取得し蓄積するという工程が、パスされて、視聴者の要求にすばやく対応してＭＩを表示することが可能になる。
【００６６】
次に、ステップＳ１００２における「嗜好予測によるＭＩ取得」処理について詳細に説明する。嗜好抽出部８１４は操作履歴蓄積部２２４の中の遡及範囲Ωに含まれる第１キーワードＫｅｙ１＿１〜Ｋｅｙ１＿ｍのそれぞれについて、出現頻度ｆｑ１を式１に従って計算する。
【００６７】
【数１】
2004086754.tif 000003
【００６８】
ｍは、操作履歴蓄積部の遡及範囲Ωにある第１キーワードＫｅｙ１と第２キーワードＫｅｙ２の対の数である。従ってｉは１からｍまでの整数である。
ωは、基本的にはある第１キーワードＫｅｙ１＿ｉが遡及範囲Ωに存在する数を表す。従って式１は操作履歴蓄積部２２４の遡及範囲Ωにあるキーワード対Ｋｅｙｗの数に対して、特定の第１キーワードＫｅｙ１＿ｉの数の割合を示している。
【００６９】
本例では、遡及範囲Ωにある第１キーワードＫｅｙ１と第２キーワードＫｅｙ２の対の数を規格化するためにｍその数ｍで除算しているが、この点は特に限定するものではなく、第１キーワードＫｅｙ１の絶対数や、それ以外の方法で出現頻度ｆｑ１を規定しても構わない。
【００７０】
視聴者の嗜好の度合いを判定するには、同じキーワードであっても、視聴者の直接操作によって得た場合と、システムの予測によって得た場合では、そのキーワードに対する重み付けを変えたほうが、より視聴者の嗜好判断を的確に行える場合が考えられる。従って、式１中のωには、視聴者によって選択された場合（α）と嗜好判断というシステムによって選択された場合（β）とを分けて出現頻度ｆｑ１を求めることができるようにすることもできる。なお、上記において「基本的に」と説明した部分は、このαとβを共に１として求めた場合に相当する。
【００７１】
式１と同様に第２キーワードＫｅｙ２＿ｉに関しても出現頻度ｆｑ２を式２に従い求める。
【００７２】
【数２】
2004086754.tif 000004
【００７３】
さらに、ある第１キーワードにおける第２キーワードの出現頻度ｆｑ２／１を次のようにして求める。遡及範囲Ωにおけるある第１キーワードＫｅｙ１＿ｉに属する第２キーワードの総数をｒとする。次に当該第１キーワードＫｅｙ１＿ｉに属する特定の第２キーワードＫｅｙ２＿ｊの個数をｑとする。そして、第１キーワードにおける第２キーワードの出現頻度ｆｑ２／１を式３に従って求める。
【００７４】
【数３】
2004086754.tif 000005
【００７５】
図１１を参照して、上述の演算について具体的に説明事務所宛のＦＡＸする。同図に示すように、操作履歴蓄積部２２４に蓄積されている第１キーワードＫｅｙ１をＡとし、第２キーワードＫｅｙ２をａ、ｂ、ｃおよびｄの４つとすると、Ａａ、Ａｂ等はキーワードの対となる。
【００７６】
図１１に示すような例においては、Ａａ、Ａｃ、Ａａ、Ａｂ、Ａｃ、Ａｂ、Ａｄ、Ａａの８つのキーワードの対がある。この場合、遡及範囲Ωにある第１キーワードＡに属する第２キーワード（ａ，ｂ，ｃ）の総数ｒは、８である。そして、第１キーワードＡに属する第２キーワードａの個数であるｑは３である。同様に第２キーワードがｂの場合、ｃの場合、ｄの場合のｑの値はそれぞれ、２、２、１である。
【００７７】
従って、ｆｒｅｑ２／１（Ａ、ａ）は３／８である。また、ｆｒｅｑ２／１（Ａ、ｂ）、ｆｒｅｑ２／１（Ａ、ｃ）、およびｆｒｅｑ２／１（Ａ、ｄ）は、それぞれ、２／８、２／８、１／８となる。
このようにして求めた第１キーワードの出現頻度ｆｑ１、第２キーワードの出現頻度ｆｑ２、および第１キーワードにおける第２キーワードの出現頻度ｆｑ２／１に対して以下の式４に従い比較を行う。
【００７８】
【数４】
2004086754.tif 000006
【００７９】
θは視聴者の嗜好に合致するか否かを判断するための閾値である。すなわち、操作履歴蓄積部２２４の遡及範囲Ωに記録された、視聴者が選択したキーワードの対の中で、出現頻度が一定以上のキーワードは視聴者の嗜好に合致するキーワードであると判断する。
【００８０】
式４では出現頻度ｆｑ１とθの関係だけを示しているが、第１キーワード、第２キーワード、第１キーワードにおける第２キーワードのそれぞれについてθを設定してよいことは言うまでもない。
【００８１】
嗜好抽出部８１４は、式４を満たすキーワードを視聴者の嗜好に合致するキーワードＫｅｙｘとして比較部８１２に渡す。比較部８１２は、嗜好抽出部８１４から受け取ったキーワードＫｅｙｘについて、番組インデックス蓄積部２２２の中の将来放送される番組インデックスの中から一致するキーワードを含むキーワードの対があるか否かを検索する。
【００８２】
もし、視聴者の嗜好に合致するキーワードを含むキーワードの対が、将来放送される番組インデックス中に見つかったときは、嗜好判断部７１０はそのキーワードの対をＭＩ検索部２１２に渡す。ＭＩ検索部２１２は、ＭＩ蓄積部２２０にそのキーワード対に関するＭＩが蓄積されているか否かを確認し、結果を嗜好判断部７１０に通知する。
【００８３】
嗜好判断部７１０は、ＭＩ検索部２１２に通知したキーワード対についてＭＩ蓄積部２２０に記録がなければ通信器１２０にこのキーワード対を通知する。嗜好判断部７１０はさらに、インターネット１６０からこれらの情報であるＭＩを取得し、ＭＩ蓄積部２２０に記録しておく。この動作の詳細について、図８と図１１を参照して、以下に具体的に述べる。
【００８４】
図１１に示す操作履歴蓄積部２２４に蓄積されている第１キーワードＡの出現頻度は、第１キーワードのための閾値θを越えていたとする。すると、図８を参照して説明したように、嗜好抽出部７１０はＫｅｙｘとして第１キーワードＡを比較部８１２に渡す。そして、比較部８１２が番組インデックス蓄積部２２２の将来放送される番組インデックスの中に第２キーワードがｆであるＡｆというキーワード対を発見したとする。
【００８５】
すると、このＡｆは視聴者によってまだ選択されてはいないものの、視聴者の嗜好に合致している可能性が高いと判断できる。そこで、このＡｆについて予めインターネットから情報ＭＩを取得しておき、それをＭＩ蓄積部２２０に記録しておくことで、将来放送された番組を見た視聴者がＡｆについての情報取得を要求したときに、直ちに提示することができる。
【００８６】
すなわち、本実施の形態においては、嗜好判断部７１０を有することによって、視聴者の嗜好に関するキーワードの組み合わせを予想することができ、第１の実施の形態における場合より、より即時応答性の優れた嗜好情報表示が可能になる。
【００８７】
図１２に示すフローチャートを参照して、上述のステップＳ１００２の「嗜好予測によるＭＩ取得」サブルーチンにおける動作について詳細に説明する。
先ず、ステップＳ１２０２において、初期値の設定を行なわれる。これは、図９に示したキーワードの対の中から、遡及範囲Ωまでのｍ個に関して、第１キーワードの出現頻度ｆｑ１を調べるためのカウンタのリセットである。そして、制御は次のステップＳ１２０４に進む。
【００８８】
ステップＳ１２０４においては、上記の式１に従って、１番目の第１キーワードＫｅｙ１＿１について、出現頻度ｆｑ１（Ｋｅｙ１＿１）を計算し、閾値θと比較する。そして、算出した出現頻度ｆｑ１（Ｋｅｙ１＿１）が閾値θ以上であれば、制御はステップＳ１２０６に進む。
【００８９】
ステップＳ１２０６において、番組インデックス蓄積部２２２の将来の放送分の中に第１キーワードＫｅｙ１＿１があるか否かが調べられる。　将来の放送分の中にこのＫｅｙ１＿１を含む番組インデックスがある場合は、制御はステップＳ１２０８に進む。
【００９０】
ステップＳ１２０８において、キーワードに対応する嗜好情報ＭＩがＭＩ蓄積部２２０にあるか否かが確認される。否と判断されれば、制御はステップＳ１２１０に進む。
【００９１】
ステップＳ１２１０においては、キーワードの対に基づいてインターネット１６０から嗜好情報ＭＩが取得される。そして、取得嗜好情報ＭＩはＭＩ蓄積部に蓄積される。そして、制御は付けのステップＳ１２１２に進む。
【００９２】
ステップＳ１２１２において、遡及範囲Ωを調査し終わったか否かが確認される。終わってなければ、制御はステップＳ１２１４に進む。
【００９３】
ステップＳ１２１２において、出現頻度ｆｑ１を調べるためのカウンタＩがリセットさた後に、制御は上述のステップＳ１２０４に戻る。結果、次の第１キーワードについて同様の手続きを繰り返す。
【００９４】
なお、ステップＳ１２１２において、遡及範囲Ωを調査し終わったと判断される場合には、処理を中断する。また、上述のステップＳ１２０４でＮｏと判断される場合や、ステップＳ１２０６でＮｏと判断される場合には、上述ステップＳ１２０８、およびＳ１２１０をスキップして、上述の制御はＳ１２１２に進む。
【００９５】
第１キーワードＫｅｙ１について説明したが、第２キーワードＫｅｙ２や、第１キーワードＫｅｙ１における第２キーワードＫｅｙ２についても、同様に閾値θをそれぞれに設定し、図１２に示したフローチャートに従うことで、視聴者の嗜好情報ＭＩを先取りすることができる。また、閾値θは、予めシステムに組み込んでおいてもよいし、視聴者が変更できるようにしてもよい。
【００９６】
本実施の形態の嗜好情報取得装置を搭載した放送受信機によって、視聴者の嗜好を予想し、視聴者がその嗜好情報を要求する前に、インターネットから当該嗜好情報を取得し、ハードディクス装置などに記録しておくことで、視聴者の要求があってからインターネットでその嗜好情報を取得するよりもすばやく表示をすることができる。
【００９７】
（第３の実施の形態）
図１３、図１４、図１５、および図１６を参照して、第３の実施の形態にかかる嗜好情報取得システムについて説明する。上述の第２の実施の形態にかかる嗜好情報取得システムにおいては、視聴者が選択したキーワードの対を記録した操作履歴蓄積部の中の一定範囲である遡及範囲Ωから、出現頻度の高いキーワードを抽出し、それを持って視聴者の嗜好情報にかかわるキーワードであると判断される。本実施の形態においでは、視聴者の嗜好情報にかかわるキーワードをＭＩ蓄積部２２０から抽出する。抽出の母集合をＭＩ蓄積部２２０の内容にすることで、より多角的な視点で視聴者の嗜好にかかわるキーワードを抽出することが可能になる。このために、本実施の形態にかかる放送受信機１３００（図示せず）は、制御器７５０が制御器１３５０に置き換えられている点を除けば、放送受信機７００と同じ構成である。よって、放送受信機１３００に固有の部分を重点的に説明する。
【００９８】
図１３に、制御器１３５０の構成を示す。制御器１３５０は、制御器７５０において、嗜好判断部７１０が嗜好判断部１３１０に置き換えられている。嗜好判断部１３１０は、嗜好判断部７１０において、嗜好抽出部８１４の前段に新たにキーワード分割部１３２２が設けられていると共に、嗜好抽出部８１４の抽出の対象が操作履歴蓄積部２２４から、ＭＩ蓄積部２２０に変更されている。
【００９９】
図１４に、ＭＩ蓄積部２２０に蓄積されているデータの様子を示す。ＭＩ蓄積部２２０には、視聴者が選択したキーワードの組とそれによってインターネットから取得した嗜好情報ＭＩが対になって格納されている。例えば、１番目のキーワードをみると第１キーワードであるＫｅｙ１＿１と第２キーワードであるＫｅｙ２＿１によって嗜好情報ＭＩ１が取得されている。さらに、嗜好情報ＭＩ１には、Ｋｅｙ１＿１とＫｅｙ２＿１およびＭＩ１が関連付けられて格納されている。
【０１００】
このＭＩ１は、インターネットを通じて取得した嗜好情報であって、文字情報を含むデータの集合である。文字情報は単語の集合と考えられる。そこで、これらを嗜好情報ＭＩ中のキーワードと考えて、ＫＭＩ１＿１、ＫＭＩ１＿２などと表す。
ここでも同じ嗜好情報ＭＩに属するキーワードＫＭＩ１のそれぞれを区別するために、アンダースコアと数字からなる接尾辞を付加する。従って、アンダースコアより左側の記号が同じでも接尾辞が異なれば内容が異なる場合がある。
【０１０１】
図１４に示す例では、嗜好情報ＭＩ１に属するキーワードはα個ある。同様に、嗜好情報ＭＩ２にはβ個のキーワードが含まれ、そしてＭＩｍにはν個のキーワードが含まれているとする。αからνはＭＩ１からＭＩｍの嗜好情報中のキーワードの数を区別するために命名したものであるから、同じ自然数であっても構わない。なお、αからνまでを加えた数をσとする。
【０１０２】
嗜好情報ＭＩ１は、第１キーワードＫｅｙ１＿１と第２キーワードＫｅｙ２＿１に基づいて得られた情報であるから、嗜好情報ＭＩ１に含まれるキーワードＫＭＩ１＿１からＫＭＩ１＿αのうちのどれかに第１キーワードＫｅｙ１＿１と第２キーワードＫｅｙ２＿１に一致するものがある。
第１キーワードＫｅｙ１＿１と第２キーワードＫｅｙ２＿１および嗜好情報ＭＩは、インターネット１６０から取得した数だけＭＩ蓄積部２２０に記録されている。第２の実施の形態と同様に一定の期間の遡及範囲Ωを設定して、ＭＩ蓄積部２２０中のｍ個を視聴者の嗜好にかかわるキーワードの抽出のための母集合とする。
【０１０３】
次に図１３と図１４を参照して、嗜好判断部１３１０の動作について説明する。嗜好判断部１３１０は、ＭＩ蓄積部２２０に蓄積されている嗜好情報ＭＩ１〜ＭＩｍまでに含まれる情報から視聴者の嗜好に関するキーワードを抽出する。しかし、嗜好情報ＭＩは一般的には文章であるので、キーワード分割部１３２２が嗜好情報ＭＩをキーワードに切り分ける。具体的には、文章中の助詞を手がかりに名詞に分割するなどの方法が考えられる。
【０１０４】
分割されたキーワードは、記録装置１２８中に別途領域を設け記録しておいてもよいし、キーワード分割部１３２２が保持しておいても構わない。嗜好抽出部８１４は、第２の実施の形態におけるのと同様の方法で、これらのキーワードの出現頻度を計算する。具体的には式５で示される式に基づいて出現頻度ｆｑを計算する。
【０１０５】
【数５】
2004086754.tif 000007
【０１０６】
ここで、σは既に述べたようにαからνまでを加えた数で、遡及範囲Ωに属する嗜好情報ＭＩ１からＭＩｍに属するすべてのキーワードの総数を示す。ｘは１からｍまでの自然数、ｙはαからνまでの中で最大数と１との間の自然数を表す。
【０１０７】
このようにして得た出現頻度ｆｑに対してやはり閾値θを定め、閾値θより出現頻度ｆｑが高ければそのキーワードは視聴者の嗜好に合致するものと判断される。
【０１０８】
そのように判断されたキーワードは、比較部８１２に通知され、将来の放送番組の中の番組インデックス中にそのキーワードを含むキーワードの対がある場合は、それに基づく嗜好情報ＭＩをインターネット１６０から取得する。
【０１０９】
図１５に示すフローチャートを参照して上述の動作について説明する。制御器１３５０全体の動作は、図１０に示したフローチャートと同じであるが、嗜好予測によるＭＩ取得のステップＳ１００２の内容が異なるため、図１５にはステップＳ１２００Ｒとしてその内容を示している。なお、ステップＳ１２００Ｒは、ステップＳ１２００におけるステップＳ１２０４、Ｓ１２０６、およびＳ１２１０が、それぞれ、ステップＳ１５０４、Ｓ１５０６、およびＳ１５１０に置き換えられている。よって、これら、本実施の形態に固有のステップに重点をおいて説明する。
【０１１０】
本実施の形態において、嗜好予測によるＭＩ取得のステップＳ１００２Ｒが始まったら、ステップＳ１５０２において、キーワード分割部１３２２によってすべてのＭＩに属するキーワードに分割される。ステップＳ１２０２では初期値を設定する。
そして、ステップＳ１５０４において、上記式５で示したようにキーワードの出現頻度ｆｑが求められる。そして、その出現頻度が閾値θより高いか否かが判断される。
【０１１１】
これが条件を満たしていれば、ステップＳ１５０６において、番組インデックス蓄積部２２２の将来の放送分の中にＫＭＩｘ＿ｙがあるか否かが調べられる。
【０１１２】
将来の放送分の中にこのＫＭＩｘ＿ｙを含む番組インデックスがあった場合は、ステップＳ１２０８において、それがＭＩ蓄積部２２０にあるか否かが確認される。なければ、ステップＳ１５１０において、そのキーワードの対に基づいてインターネットから嗜好情報ＭＩが取得されてＭＩ蓄積部に蓄積される。
【０１１３】
ステップＳ１５１２において、遡及範囲Ωを調査し終わったか否かが確認される。終わってなければ、次の第１キーワードについて同様の手続きが繰り返される。遡及範囲Ωに嗜好情報ＭＩはｍ個あるが、ｍ個の嗜好情報ＭＩの中にはα＋β＋γ＋・・・＋νで求められるσ個のキーワードが含まれているので、ステップＳ１５１２ではσとの比較を行う。
【０１１４】
次に、図１６を参照して、より具体的な説明を行う。ＭＩ蓄積部２２０には、その遡及範囲ΩにＭＩ１からＭＩ３までの３つの嗜好情報があるとする。それぞれの嗜好情報は、第１キーワードＫｅｙ１および第２キーワードＫｅｙ２をｚ３とｚ２、ｚ３とｚ１９、ｚ２とｚ７という組み合わせに基づいてインターネット１６０から取得されたものとする。また、簡単のために、嗜好情報ＭＩ１からＭＩ３の内容をキーワードに切り分けると、図１６に示すようにそれぞれ４つのキーワードに分割できたとする。従って、この場合σは１２個、ｍは３である。
【０１１５】
このような場合に、各キーワードの出現頻度を求めると、ＭＩ取得のために用いたキーワード中で２回出現するｚ３はＭＩ１〜ＭＩ３の１２個のキーワード中でも２回出現しているので、２／３となる。
【０１１６】
しかし、嗜好情報ＭＩの取得のために、１度も利用しなかったｚ５というキーワードは３回出現しており、その出現頻度は３／３と高い値が得られる。このようなｚ５が将来放送される番組の中にあったとすると、視聴者はこのキーワードに基づく情報の取得を要求する可能性が高いと考えられ、放送に先駆けてインターネット１６０から取得しておくことで、より快適に嗜好情報ＭＩの表示を行うことができる。
【０１１７】
これを第２の実施の形態の場合と比較して考えてみる。第２の実施の形態においては、嗜好抽出の母集合が視聴者の選択した操作履歴に基づくものであるため、視聴者が過去に選択したことのないキーワード（この場合ｚ５）に基づいて先行的に嗜好情報ＭＩの取得はできない。しかし本実施の形態においては、視聴者が過去に選択したことのないキーワードであっても、そのキーワードに関係する他のキーワードを視聴者が利用していれば、先行的に嗜好情報を取得できる。
【０１１８】
このように、嗜好情報ＭＩをキーワードに切り分けたものを嗜好判断の母集合とすると、視聴者がＭＩ取得のために用いたキーワード以外のキーワードで共通性の高いものを抽出することが可能になり、視聴者のより潜在的な嗜好を抽出することができる。なお、本実施の形態においても、第２の実施の形態と同様の手続きでＭＩの再表示ができることは言うまでもない。
【０１１９】
【発明の効果】
以上のように本発明の嗜好情報取得システム、装置若しくはそれらを搭載した放送受信機は、放送波で送信されてくる番組に関するキーワードを用いて、視聴者が自らの興味にかかわる事項のより詳細な嗜好情報をインターネットから取得できる。
【０１２０】
また、嗜好情報の取得に用いたキーワードを記録しておき、それぞれのキーワード毎に出現頻度を求めて、一定の閾値以上であった場合は、視聴者の嗜好に合致するキーワードであると判断する。そして、将来放送される番組に関するキーワードの中に合致すると判断されたキーワードがある場合には、予めインターネットで嗜好情報を取得して記録しておくことで、よりスムーズな嗜好情報の提示が可能である。
【０１２１】
さらに、インターネットから取得した嗜好情報に含まれるキーワードの出現頻度が一定の閾値以上であった場合は、やはり視聴者の嗜好に合致するものと判断する。そして、上記と同様に予めインターネットを通じて嗜好情報を取得することで、視聴者が１度も嗜好情報の取得に用いたことのないキーワードによる嗜好情報も、予め取得しておくことができる。
【図面の簡単な説明】
【図１】本発明の第１の実施の形態にかかる放送受信機の全体構成を示すブロック図である。
【図２】図１に示した制御器の構成を示すブロック図である。
【図３】本発明において、放送されるキーワードの送信フォーマットの一例を示す図である。
【図４】図１に示した放送受信機の動作を表すフローチャートである。
【図５】図１に示した放送受信機による、キーワードの提示と嗜好情報の表示の画面の例を示す図である。
【図６】図１に示した放送受信機による、取得した嗜好情報を再表示させる動作を表すフローチャートである。
【図７】本発明の第２の実施の形態にかかる放送受信機の全体構成を示す図である。
【図８】図７に示した制御器の構成を示すブロック図である。
【図９】図８に示した操作履歴蓄積部に蓄積されたデータの例を示す図である。
【図１０】図７に示した放送受信機の動作を表すフローチャートである。
【図１１】図８に示した操作履歴蓄積部に蓄積された第１キーワードによる第２キーワードの出現頻度を具体的に説明する図である。
【図１２】図１０に示した、嗜好予想による嗜好情報取得サブルーチンの詳細を表すフローチャートである。
【図１３】本発明の第３の実施の形態にかかる制御器の構成を示すブロック図である。
【図１４】図１３に示したＭＩ蓄積部に蓄積されたデータの例を示す図である。
【図１５】図１３に示したキーワード分割部の動作を表すフローチャートである。
【図１６】図１３に示した嗜好判断部の動作を具体的に説明するための図である。
【図１７】従来技術の放送受信機の構成を示すブロック図である。
【符号の説明】
１００　放送受信機
１１２　アンテナ１１２
１１４　チューナ
１１６　ＴＳデコーダ
１１８　ＡＶデコーダ
１２０　表示制御器
１２２　表示器
１２４　通信機
１２６　入力器
１２８　記録装置
１５０　制御器
１６０　インターネット
２１０　キーワードリスト作成部
２１２　ＭＩ検索部
２２０　ＭＩ蓄積部
２２２　番組インデックス蓄積部
２２４　操作履歴蓄積部
７１０　嗜好判断部
７５０　制御器
８１２　比較部
８１４　嗜好抽出部
１３２２　キーワード分割部
９０００　放送受信機
９１１６　ＴＳデコーダ
９１５０　制御器
【図１】
2004086754.tif 000008
【図２】
2004086754.tif 000009
【図３】
2004086754.tif 000010
【図４】
2004086754.tif 000011
【図５】
2004086754.tif 000012
【図６】
2004086754.tif 000013
【図７】
2004086754.tif 000014
【図８】
2004086754.tif 000015
【図９】
2004086754.tif 000016
【図１０】
2004086754.tif 000017
【図１１】
2004086754.tif 000018
【図１２】
2004086754.tif 000019
【図１３】
2004086754.tif 000020
【図１４】
2004086754.tif 000021
【図１５】
2004086754.tif 000022
【図１６】
2004086754.tif 000023
【図１７】
2004086754.tif 000024